【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
熱交換器のヘッダパイプ内部を区画する仕切板を、該ヘッダパイプ内に組み付けて、ろう付けにより前記仕切板をヘッダパイプに固定する仕切板の固定構造において、
前記ヘッダパイプは、前記仕切板と係合する開口部を形成し、
前記仕切板は、前記開口部に挿入される突部を備え、
前記仕切板を前記ヘッダパイプ内に組み付けて、前記突部をヘッダパイプの前記開口部に係合させ、前記突部を前記ヘッダパイプの内側方向に加圧して変形させることにより、該突部が前記開口部の内周に密着することを特徴とする仕切板のヘッダパイプ固定構造。
【請求項２】
前記突部が前記開口部に挿入された際、該突部の先端の部位が該開口部から外部へはみ出していることを特徴とする請求項１記載の仕切板のヘッダパイプ固定構造。
【請求項３】
前記突部に、この突部の変形を容易化する切欠が設けられていることを特徴とする請求項１記載の仕切板のヘッダパイプ固定構造。
【請求項４】
熱交換器のヘッダパイプ内部を区画する仕切板を、該ヘッダパイプ内に組み付けた後、ろう付けにより前記仕切板をヘッダパイプに固定する仕切板の固定方法において、
前記ヘッダパイプは、前記仕切板と係合する開口部を形成し、
前記仕切板は、前記開口部に挿入される突部を備え、
前記仕切板を前記ヘッダパイプ内に組み付けて、前記突部をヘッダパイプの前記開口部に係合させた後、前記突部を前記ヘッダパイプの内側方向に加圧して変形させて仮止めしたことを特徴とする仕切板のヘッダパイプ固定方法。
【請求項５】
前記仮止めは、前記突部の変形により該突部の両側部が前記開口部の内周に密着してなされるものであることを特徴とする請求項４記載の仕切板のヘッダパイプ固定方法。
【請求項６】
前記突部が前記開口部に挿入された際、該突部の先端の部位が該開口部から外部へはみ出していることを特徴とする請求項４記載の仕切板のヘッダパイプ固定方法。
【請求項７】
前記突部に、この突部の変形を容易化する切欠が設けられていることを特徴とする請求項４記載の仕切板のヘッダパイプ固定方法。
【手続補正２】
【補正対象書類名】明細書
【補正対象項目名】００１０
【補正方法】変更
【補正の内容】
【００１０】
【課題を解決するための手段】
本願第１請求項に記載した発明は、後記具体例で用いた符号を付して記すと、
熱交換器１のヘッダパイプ３内部を区画する仕切板７を、該ヘッダパイプ内に組み付けて、ろう付けにより前記仕切板をヘッダパイプに固定する仕切板の固定構造において、
前記ヘッダパイプ３は、前記仕切板７と係合する開口部３２を形成し、
前記仕切板７は、前記開口部３２に挿入される突部７ｂを備え、
前記仕切板７を前記ヘッダパイプ３内に組み付けて、前記突部７ｂをヘッダパイプの前記開口部３２に係合させ、前記突部を前記ヘッダパイプの内側方向に加圧して変形させることにより、該突部が前記開口部の内周に密着する構成の仕切板のヘッダパイプ固定構造である。
本願第２請求項に記載した発明は、第１請求項の発明において、前記突部７ｂが前記開口部３２に挿入された際、該突部の先端の部位Ｓが該開口部から外部へはみ出している構成の仕切板のヘッダパイプ固定構造である。
本願第３請求項に記載した発明は、第１請求項の発明において、前記突部７ｂに、この突部の変形を容易化する切欠が設けられている構成の仕切板のヘッダパイプ固定構造である。
本願第４請求項に記載した発明は、熱交換器１のヘッダパイプ３内部を区画する仕切板７を、該ヘッダパイプ内に組み付けた後、ろう付けにより前記仕切板をヘッダパイプに固定する仕切板の固定方法において、
前記ヘッダパイプ３は、前記仕切板７と係合する開口部３２を形成し、
前記仕切板７は、前記開口部３２に挿入される突部７ｂを備え、
前記仕切板７を前記ヘッダパイプ３内に組み付けて、前記突部７ｂをヘッダパイプの前記開口部３２に係合させた後、前記突部を前記ヘッダパイプの内側方向に加圧して変形させて仮止めした構成の仕切板のヘッダパイプ固定方法である。
本願第５請求項に記載した発明は、第４請求項の発明において、前記仮止めは、前記突部７ｂの変形により該突部の両側部が前記開口部３２の内周に密着してなされるものである構成の仕切板のヘッダパイプ固定方法である。
本願第６請求項に記載した発明は、第４請求項の発明において、前記突部７ｂが前記開口部３２に挿入された際、該突部の先端の部位Ｓが該開口部から外部へはみ出している構成の仕切板のヘッダパイプ固定方法である。
本願第７請求項に記載した発明は、第４請求項の発明において、前記突部７ｂに、この突部の変形を容易化する切欠が設けられている構成の仕切板のヘッダパイプ固定方法である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、本発明のヘッダパイプによると、突部をヘッダパイプ内側方向に加圧して変形させることにより、少なくとも突部の先端の部位が幅広がりの形状になって、その変形した部位により仕切板が開口部に係止されることになる。
【手続補正５】
【補正対象書類名】明細書
【補正対象項目名】００３９
【補正方法】変更
【補正の内容】
【００３９】
【発明の効果】
本願第１請求項に記載した発明は、熱交換器１のヘッダパイプ３内部を区画する仕切板７を、該ヘッダパイプ内に組み付けて、ろう付けにより前記仕切板をヘッダパイプに固定する仕切板の固定構造において、前記ヘッダパイプ３は、前記仕切板７と係合する開口部３２を形成し、前記仕切板７は、前記開口部３２に挿入される突部７ｂを備え、前記仕切板７を前記ヘッダパイプ３内に組み付けて、前記突部７ｂをヘッダパイプの前記開口部３２に係合させ、前記突部を前記ヘッダパイプの内側方向に加圧して変形させることにより、該突部が前記開口部の内周に密着する構成の仕切板のヘッダパイプ固定構造である。
本願第２請求項に記載した発明は、第１請求項の発明において、前記突部７ｂが前記開口部３２に挿入された際、該突部の先端の部位Ｓが該開口部から外部へはみ出している構成の仕切板のヘッダパイプ固定構造である。
本願第３請求項に記載した発明は、第１請求項の発明において、前記突部７ｂに、この突部の変形を容易化する切欠が設けられている構成の仕切板のヘッダパイプ固定構造である。
本願第４請求項に記載した発明は、熱交換器１のヘッダパイプ３内部を区画する仕切板７を、該ヘッダパイプ内に組み付けた後、ろう付けにより前記仕切板をヘッダパイプに固定する仕切板の固定方法において、前記ヘッダパイプ３は、前記仕切板７と係合する開口部３２を形成し、前記仕切板７は、前記開口部３２に挿入される突部７ｂを備え、前記仕切板７を前記ヘッダパイプ３内に組み付けて、前記突部７ｂをヘッダパイプの前記開口部３２に係合させた後、前記突部を前記ヘッダパイプの内側方向に加圧して変形させて仮止めした構成の仕切板のヘッダパイプ固定方法である。
本願第５請求項に記載した発明は、第４請求項の発明において、前記仮止めは、前記突部７ｂの変形により該突部の両側部が前記開口部３２の内周に密着してなされるものである構成の仕切板のヘッダパイプ固定方法である。
本願第６請求項に記載した発明は、第４請求項の発明において、前記突部７ｂが前記開口部３２に挿入された際、該突部の先端の部位Ｓが該開口部から外部へはみ出している構成の仕切板のヘッダパイプ固定方法である。
本願第７請求項に記載した発明は、第４請求項の発明において、前記突部７ｂに、この突部の変形を容易化する切欠が設けられている構成の仕切板のヘッダパイプ固定方法である。
【手続補正６】
【補正対象書類名】明細書
【補正対象項目名】００４１
【補正方法】削除
【補正の内容】
【手続補正７】
【補正対象書類名】明細書
【補正対象項目名】００４２
【補正方法】変更
【補正の内容】
【００４２】
また、突部をヘッダパイプ内側方向に加圧して変形させることにより、少なくとも突部の先端の部位が幅広がりの形状になって、その変形した部位により仕切板が開口部に係止されることになる。
【手続補正８】
【補正対象書類名】明細書
【補正対象項目名】００４３
【補正方法】変更
【補正の内容】
【００４３】
このように、本発明によれば、仕切板を所定の位置に確実に固定することができる仕切板のヘッダパイプ固定構造及び固定方法を得ることができる。